(57)【要約】【課題】球止め部材に検出距離の短い近接スイッチを装着することにより、発射位置のパチンコ球を正確に検出できるようにすると共に近接スイッチの取り替えも簡単に行なえるようにした弾球遊技機を提供する。【解決手段】中間枠３の下側前面に設けられる打球発射レール１４と、前記打球発射レール１４の基端側の発射位置ａ上方に配置され、前記打球発射レール１４上面に供給されるパチンコ球を前記発射位置ａに停止させるための球止め部材２４と、を備えてなる弾球遊技機Ｐであって、前記球止め部材２４に、所定の検出距離を有し、かつ、前記発射位置ａに停止されるパチンコ球の存在を上方から検出する近接スイッチ２９を装着するようにした。【選択図】　図５
2004135799.tif 000002
【特許請求の範囲】
【請求項１】
中間枠の下側前面に設けられる打球発射レールと、前記打球発射レールの基端側の発射位置上方に配置され、前記打球発射レール上面に供給されるパチンコ球を前記発射位置に停止させるための球止め部材と、を備えてなる弾球遊技機であって、
前記球止め部材に、所定の検出距離を有し、かつ、前記発射位置に停止されるパチンコ球の存在を検出する近接スイッチを装着するようにしたことを特徴とする弾球遊技機。
【請求項２】
中間枠の下側前面に取付板を介して設けられる打球発射レールと、前記取付板の前面であって前記打球発射レールの基端側の発射位置上方に配置され、前記打球発射レール上面に供給されるパチンコ球を前記発射位置に停止させるための球止め部材と、を備えてなる弾球遊技機であって、
前記球止め部材に、所定の検出距離を有し、前記発射位置に停止されるパチンコ球の存在を検出する近接スイッチを装着し、また、前記球止め部材を前記取付板に着脱自在に設けると共に前記近接スイッチを前記球止め部材に着脱自在に装着するようにしたことを特徴とする弾球遊技機。
【発明の詳細な説明】
【０００１】
【発明の属する技術分野】
本発明は、中間枠の下側前面に設けられる打球発射レールと、打球発射レールの基端側の発射位置上方に配置され、打球発射レールに供給されるパチンコ球を発射位置に停止させるための球止め部材と、を備えてなる弾球遊技機に関するものである。
【０００２】
【従来の技術】
従来、弾球遊技機の一種であるパチンコ遊技機は、中間枠の裏側に遊技盤を取り付けると共に該中間枠の下部前面に打球発射レールを設け、また、打球発射レールの基端側の発射位置には、その上方に球止め部材を配置すると共にそこにパチンコ球が存在していることを検出する電磁式の近接スイッチをその一側に設けている。そして、打球供給手段により前記打球発射レールに供給されるパチンコ球を球止め部材によって発射位置に停止させ、同時にそのパチンコ球の存在を近接スイッチにより検出する。この状態から、前記パチンコ球を打球発射手段の打球槌により打撃して遊技盤面に打ち込むようにしている。ところで、前記近接スイッチは、打球発射レールが取付けられる側の中間枠前面に設けられ、打球発射レールの上面に位置するパチンコ球に対し横方から検出するようになっている（例えば、特許文献１参照。）。
【０００３】
【特許文献１】
特開平１０−２１１３２２号公報（第４頁、図４、図７）
【０００４】
【発明が解決しようとする課題】
しかしながら、検出距離が長い（例えば、約１ｃｍ）電磁式の近接スイッチを使用すると、打球発射レールが金属であることから、この打球発射レールまで検出してしまうことがあり、正確にパチンコ球のみを検出することができなかった。これに対し、検出距離が短い（例えば、約０．５ｍｍ）電磁式の近接スイッチを使用すると、前記問題は解消されるものの中間枠前面に対する打球発射レールの取付位置に誤差がある場合、パチンコ球と近接スイッチの検出部との位置関係にもずれを生じ、この結果、パチンコ球が存在しても検出し得ないといったミスを起こす危険性がある。これは、打球発射レールが取付けられる面と同じ面に近接スイッチの検出部があることによる。
【０００５】
そこで本発明は、上記課題を解決すべくなされたもので、球止め部材に検出距離の短い近接スイッチを装着することにより、発射位置のパチンコ球を正確に検出できるようにすると共に近接スイッチの取り替えも簡単に行なえるようにした弾球遊技機を提供することを目的とするものである。
【０００６】
【課題を解決するための手段】
かかる目的を達成するために本発明に係る弾球遊技機は、中間枠の下側前面に設けられる打球発射レールと、前記打球発射レールの基端側の発射位置上方に配置され、前記打球発射レール上面に供給されるパチンコ球を前記発射位置に停止させるための球止め部材と、を備えてなる弾球遊技機であって、前記球止め部材に、所定の検出距離を有し、かつ、前記発射位置に停止されるパチンコ球の存在を検出する近接スイッチを装着するようにした構成からなる。パチンコ球の検出はその上方から検出することが好ましい。
【０００７】
このように、前記球止め部材に、所定の検出距離を有し、かつ、前記発射位置に停止されるパチンコ球の存在を上方から検出する近接スイッチを装着するようにしたので、打球発射レールに関係なく発射位置のパチンコ球を正確に検出できる。所定の検出距離は、約５ｍｍ以内で短い方が良く、実施にあたっては例えば０．５ｍｍが好ましい。
【０００８】
また、中間枠の下側前面に取付板を介して設けられる打球発射レールと、前記取付板の前面であって前記打球発射レールの基端側の発射位置上方に配置され、前記打球発射レール上面に供給されるパチンコ球を前記発射位置に停止させるための球止め部材と、を備えてなる弾球遊技機であって、前記球止め部材に、所定の検出距離を有し、前記発射位置に停止されるパチンコ球の存在を上方から検出する近接スイッチを装着し、また、前記球止め部材を前記取付板に着脱自在に設けると共に前記近接スイッチを前記球止め部材に着脱自在に装着するようにした構成が採られる。
【０００９】
このように、前記球止め部材を取付板に着脱自在に設けると共に近接スイッチを球止め部材に着脱自在に装着することにより、中間枠の前面に打球発射レールを取り付けた後でも球止め部材を外して近接スイッチを取り外せることから、パチンコホールでの近接スイッチの取り替えが簡単に行なえる。
【００１０】
【発明の実施の形態】
以下に、本発明に係る弾球遊技機の実施の形態を図面と共に説明する。なお、弾球遊技機には、例えばパチンコ遊技機、アレンジボール機または雀球遊技機があるが、本発明にあっては、その一例としてパチンコ遊技機について説明する。図１は、本発明が適用されるパチンコ遊技機の正面図、図２は同透明板保持枠と前面枠を開いた状態の正面図である。このパチンコ遊技機Ｐは矩形枠状の機枠１を有し、その前面一側に上下の枢支部２によって中間枠３が開閉自在に装着されている。
【００１１】
前記中間枠３の裏側に遊技盤４が配設され、その遊技盤４前面の遊技部４ａが中間枠３に開設された窓開口５に臨むようになっている。前記遊技部４ａは、渦巻状に敷設された内ガイドレール６ａと外ガイドレール６ｂにより囲われ、図示は省略するがその内部に可変表示装置、入賞口、障害釘、風車などの盤面部品が装着される。前記中間枠３の上部前側には、その一側に前記遊技部４ａの前面を覆うようにして透明板保持枠７が開閉自在に軸着されると共にその下方に前面板８が軸着されている。
【００１２】
前記透明板保持枠７は、窓口９が開設されこの開口９に透明なガラス板１０が嵌入されている。また、前記前面板８の前面に、パチンコ遊技機Ｐの裏側に装着されるパチンコ球払出装置（図示せず。）から払い出されたパチンコ球を貯留する打球供給皿１１が装着される。また、前記中間枠３の下部前面には、前記打球供給皿１１から溢れたパチンコ球を貯留する余剰球貯留皿１２が装着される。１３はその一側に取り付けられ、発射されるパチンコ球の発射力を調整するための操作ハンドルである。
【００１３】
前記中間枠３の下側前面には、打球発射レール１４が設けられる。この打球発射レール１４は、図３、図４に示すように金属製であって横断面Ｍ形状に成形され、前後側壁１５ａ，１５ｂにそれぞれ複数の取付孔１６が開設されている。１７は、打球発射レール１４が一体に取り付けられる取付板であり、前記複数の取付孔１６と対応する位置に支持孔１８が開設される。そして、打球発射レール１４の前後側壁１５ａ，１５ｂ間に前記各取付孔１６に対応してレール台ピン１９を介入させ、該各レール台ピン１９の一端に突出する突子１９ａを後側壁１５ｂの各取付孔１６を介して前記支持孔１８に圧入し、更に、前側壁１５ａの前側から各取付孔１６を介して各レール台ピン１９他端に設けられた螺子孔２０に螺子２１を螺合させる。これにより、取付板１７の前面に打球発射レール１４が一体に取り付けられる。打球発射レール１４の先端には遊技部４ａまで届かずに戻ってきた戻り球を衝止させて下方へ落下させるための合成樹脂製の戻り球衝止部材２２が取付けられている。
【００１４】
前記打球発射レール１４は、基端側が打球の発射位置ａとされ、先端側が上傾するようにして取付板１７の前面に設けられる。そして、前記取付板１７には、打球発射レール１４の基端側に切欠凹部２３が設けられ、該切欠凹部２３に前記発射位置ａの上方に位置するようにして、打球発射レール１４上面に供給されたパチンコ球を発射位置ａに停止させるための球止め部材２４が着脱自在に装着される。
【００１５】
さらに詳しく説明すると、この球止め部材２４は、合成樹脂材により成形され、前記取付板１７と面一となる側板２４ａの前面に略縦長方形状の枠部２４ｂが突設される。そして、前記枠部２４ｂの一側に螺子挿通孔２５が設けられ、該螺子挿通孔２５を介して取付板１７に設けられた螺子孔２６に螺子２７を螺締することにより球止め部材２４が装着されることになる。また、前記枠部２４ｂの他側に前記打球発射レール１４と投影して直交する縦溝状の保持部２８が設けられる。この保持部２８の前後面と下面は開口しており、その後面開口から電磁式の近接スイッチ２９が保持部２８内に挿入される。球止め部材２４の下面には、打球発射レール１４の下流側であって保持部２８の側縁に、打球発射レール１４上面のパチンコ球を前記近接スイッチ２９の真下で停止させる停止部３０が突設されている。
【００１６】
前記近接スイッチ２９は、その検出距離が０．５ｍｍに設定されており、図５に示すように検出部２９ａが前記下面開口に臨んでいる。よって、前記打球発射レール１４の上面であって停止部３０により停止され発射位置ａに有るパチンコ球とその上方の検出部２９との隙間は、接触しない範囲で０．５ｍｍ以内に設定され、その位置ａに有るパチンコ球の存在が検出される。近接スイッチ２９は、その外側面に設けられた凹部３１に前記保持部２８の前端縁に突設される爪片３２が係脱自在に係合して螺子等を使用することなく保持される。これにより、近接スイッチ２９が保持部２８に着脱自在に装着されることになる。
【００１７】
取付板１７の前面であって打球発射レール１４先端側の上方位置には、前記遊技部４ａに打ち込まれず打球発射レール１４の発射位置ａに戻ろうとする戻り球を止め、所謂２個打ちしないように受止めて跳ね返す戻り球防止部材３３が装着されている。この戻り球防止部材３３は、合成樹脂製の防止部材本体３３ａと、この防止部材本体３３ａから打球発射レール１４の上面に向かってその先端側へ斜めに伸びる金属性の弾性薄板３４と、からなる。これにより、発射位置ａから発射されるパチンコ球は弾性薄板３４を押しのけて飛翔することができ、戻り球は弾性薄板３４により跳ね返されて発射位置ａに戻らないようになっている。
【００１８】
前記取付板１７には適宜位置に複数の螺子挿通孔３５が設けられ、中間枠３の所定位置に各螺子挿通孔３５を介して螺子３６を螺締めすることにより取付板１７が取り付けられる。
【００１９】
前記中間枠３の下部であって前記打球発射レール１４の一側に、操作ハンドル１３を回動させることにより往復回動し、その先端部で前記発射位置ａに有るパチンコ球を弾いて発射させる打球槌３７が軸着されている。また、前記前面板８の裏側には、打球供給皿１１から流入するパチンコ球を打球槌３７の回動動作と連動してパチンコ球を一個づつ発射位置ａへ供給する打球供給装置３８が取り付けられている。
【００２０】
本発明は上記構成からなり、操作ハンドル１３を回動させることにより、打球槌３７が往復回動し、これに伴い打球供給装置３８からパチンコ球Ｂが一個づつ発射位置ａへ供給される。各パチンコ球Ｂは発射位置ａで停止部３０により停止され、ここで近接スイッチ２９によりその存在が検出される。そして、前記パチンコ球Ｂは一個づつ打球槌３７により発射され、内ガイドレール６ａと外ガイドレール６ｂ間の球通路３９を飛翔して遊技部４ａに打ち込まれる。仮に、発射力が弱くて遊技部４ａに打ち込まれずに戻ってくる戻り球は、戻り球衝止部材２２の先端に当接するか、弾性薄板３４に跳ね返されて打球発射レール１４先端と外ガイドレール６ｂ基端との間に形成される戻り球排出通路４０内に落下して余剰球受皿１２に導かれる。
【００２１】
近接スイッチ２９の検出距離は、０．５ｍｍと極めて短いことから、発射位置ａにあるパチンコ球Ｂは確実に検出され、検出ミスを起こすようなことはない。また、近接スイッチ２９が不良を起こし交換すべき場合は、螺子２７を取り外して球止め部材２４を取付板１７から外し、保持部２８から後方へ押し出すのみで近接スイッチ２９が取り出せるので、その交換が容易にでき、パチンコホールにあっても作業が迅速に行なえ至便である。
【００２２】
【発明の効果】
以上説明したように本発明に係る弾球遊技機は、球止め部材に、所定の検出距離を有し、かつ、発射位置に停止されるパチンコ球の存在を検出する近接スイッチを装着するようにしたので、打球発射レールに関係なく発射位置のパチンコ球を正確に検出できるという効果がある。
【００２３】
また、球止め部材を取付板に着脱自在に設けると共に近接スイッチを球止め部材に着脱自在に装着することにより、中間枠の前面に打球発射レールを取り付けた後でも球止め部材を外して近接スイッチを取り外せることから、パチンコホールでの近接スイッチの取り替えが簡単に行なえるという効果も有る。
【図面の簡単な説明】
【図１】本発明が適用されるパチンコ遊技機の正面図。
【図２】同透明板保持枠と前面枠を開いた状態の正面図。
【図３】打球発射レール部分の斜視図。
【図４】打球発射レール部分の分解斜視図。
【図５】打球発射レール部分の正面断面図。
【図６】打球発射レール部分の側面断面図。
【符号の説明】
３　　　　　　　　　　　中間枠
１４　　　　　　　　　　打球発射レール
１７　　　　　　　　　　取付板
２４　　　　　　　　　　球止め部材
２９　　　　　　　　　　近接スイッチ
ａ　　　　　　　　　　　発射位置
Ｐ　　　　　　　　　　　弾球遊技機（パチンコ遊技機）
【図１】
2004135799.tif 000003
【図２】
2004135799.tif 000004
【図３】
2004135799.tif 000005
【図４】
2004135799.tif 000006
【図５】
2004135799.tif 000007
【図６】
2004135799.tif 000008